(57)【特許請求の範囲】
【請求項１】
商品と、
前記商品に関連するデザインが施されたシート状のラベルと、
前記ラベルの裏面の少なくとも一部に形成され、当該ラベルを前記商品に固定するための接着層と、
少なくとも一部が、前記ラベルと前記商品との間に保持される付属品と、
を備え、
前記ラベルは、閉じていない切込線によって囲まれた少なくとも１つの突出領域を有しており、
前記突出領域の裏面には、前記接着層が形成されておらず、
前記切込線上のいずれか２点を通過する線に沿って、前記ラベルにおける前記突出領域の外側が折れ曲がるように、前記ラベルを前記商品に固定することで、当該突出領域を前記ラベルから突出させるように構成されており、
前記ラベルにおいて、前記切込線が突出する側に、前記付属品が配置される、ラベル付き商品。
【請求項２】
前記ラベルには、少なくとも２個の前記突出領域が対向するように配置されており、
前記２個の突出領域の間に、前記付属品が保持される、請求項１に記載のラベル付き商品。
【請求項３】
前記接着層は、付属品用接着部を有しており、
前記付属品は、前記付属品用接着部を覆うように配置され、前記ラベルに固定されている、請求項１または２に記載のラベル付き商品。
【請求項４】
商品と、
前記商品に関連するデザインが施されたシート状のラベルと、
前記ラベルの裏面の少なくとも一部に形成され、当該ラベルを前記商品に固定するための接着層と、
少なくとも一部が、前記ラベルと前記商品との間に保持される付属品と、
を備え、
前記ラベルは、閉じていない切込線によって囲まれた少なくとも１つの突出領域を有しており、
前記突出領域の裏面には、前記接着層が形成されておらず、
前記切込線上のいずれか２点を通過する線に沿って、前記ラベルにおける前記突出領域の外側が折れ曲がるように、前記ラベルを前記商品に固定することで、当該突出領域を前記ラベルから突出させるように構成されており、
前記商品は、対向する一対の外面を少なくとも有しており、
前記各外面には異なる向きのデザインが施されており、
前記ラベルには、少なくとも２個の前記突出領域が対向するように配置されており、当該２個の前記突出領域は、前記一対の外面のいずれかと、それぞれ対応するように突出し、
前記各突出領域には、対応する前記外面に適合する向きのデザインが、それぞれ施されている、ラベル付き商品。
【請求項５】
商品と、
前記商品に関連するデザインが施されたシート状のラベルと、
前記ラベルの裏面の少なくとも一部に形成され、当該ラベルを前記商品に固定するための接着層と、
少なくとも一部が、前記ラベルと前記商品との間に保持される付属品と、
を備え、
前記ラベルは、閉じていない切込線によって囲まれた少なくとも１つの突出領域を有しており、
前記突出領域の裏面には、前記接着層が形成されておらず、
前記切込線上のいずれか２点を通過する線に沿って、前記ラベルにおける前記突出領域の外側が折れ曲がるように、前記ラベルを前記商品に固定することで、当該突出領域を前記ラベルから突出させるように構成されており、
前記ラベルには、少なくとも２個の前記突出領域が対向するように配置されており、
前記２個の突出領域の間に、前記付属品が保持され、
前記ラベルには、破断可能な切取線が形成されており、
前記ラベルの裏面において、前記切取線が形成されている領域には、前記接着層が形成されておらず、
前記切取線に沿って前記ラベルを破断することで、前記両突出領域の切込線を連結するように構成されている、ラベル付き商品。
【請求項６】
前記切取線は、前記ラベルの内部を通過し、前記２個の突出領域の切込線を結ぶように形成されている、請求項５に記載のラベル付き商品。
【請求項７】
前記切込線は、前記ラベルの一端部側から他端部側に延びるように形成されており、
前記切取線は、前記ラベルの一端部側に配置され、
前記ラベルの他端部側には、前記ラベルの縁部側に延びる切取開始用のガイド用切込線が形成されている、請求項５または６に記載のラベル付き商品。
【発明の詳細な説明】
【技術分野】
【０００１】
本発明は、ラベル付き商品に関する。
【背景技術】
【０００２】
従来より、商品に、いわゆるＰＯＰ広告用のラベルを貼り付けて、販売することが行われている。また、販売促進のため、商品に関連する付属品を添付して、商品を販売することも行われている。そして、特許文献１には、ＰＯＰ広告用のラベルを貼り付け、さらに付属品を取り付けて商品を販売することが提案されている。具体的には、次の通りである。すなわち、固定用のシート材を２つ折りにし、第１片及び第２片を形成する。そして、第１片の表面には、ＰＯＰ広告用のラベルを接着されている。また、第１片の裏面及び第２片の裏面によって、商品の上端部を挟むように接着するとともに、第２片と商品との間に、付属品を固定する。こうして、商品に、ＰＯＰ広告用のラベルと付属品の両方が取り付けられる。
【先行技術文献】
【特許文献】
【０００３】
【特許文献１】実用新案登録第３１７８６８３号公報
【発明の概要】
【発明が解決しようとする課題】
【０００４】
しかしながら、上記商品では、ＰＯＰ広告用のラベルと付属品の取付用シートの両方が必要となり、材料コストが大きいという問題がある。後述の発明１は、この問題を解決するためになされたものであり、簡易な構成で、ＰＯＰ広告と付属品の取り付けが可能なラベル付き商品を提供することを目的とする。
【課題を解決するための手段】
【０００５】
＜発明１＞
本発明に係るラベル付き商品は、商品と、前記商品に関連するデザインが施されたシート状のラベルと、前記ラベルの裏面の少なくとも一部に形成され、当該ラベルを前記商品に固定するための接着層と、前記ラベルと前記商品との間に保持される付属品と、を備え、前記ラベルは、閉じていない切込線によって囲まれた少なくとも１つの突出領域を有しており、前記突出領域の裏面には、前記接着層が形成されておらず、前記切込線上のいずれか２点を通過する線に沿って、前記ラベルにおける前記突出領域の外側が折れ曲がるように、前記ラベルを前記商品に固定することで、前記突出領域を前記ラベルから突出させるように構成されている。
【０００６】
この構成によれば、ラベルの裏面に接着層を設け、ラベルを商品に貼り付けるように構成している。そのため、付属品をラベルと商品との間に配置することができる。また、ラベルに、閉じていない切込線によって囲まれた少なくとも１つの突出領域を設け、この突出領域の裏面には、接着層が形成されないようにしている。そのため、切込線上のいずれか２点を通過する線に沿って、ラベルにおける突出領域の外側が折れ曲がるように、ラベルを前記商品に固定すると、突出領域をラベルから突出させることができる。そして、この突出領域には、ＰＯＰ広告を施すことができる。したがって、１枚のラベルによって、付属品の取付、及びＰＯＰ広告の提供が可能となり、ラベルの材料コストを大きく低減することができる。
【０００７】
なお、発明１において、「ラベルにおける突出領域の外側が折れ曲がるように」との構成は、完全な折り目が形成された上で、折れ曲がる態様に限定されるものではなく、湾曲した状態で折れ曲がる態様も含まれる。
【０００８】
上記ラベル付き商品において、前記ラベルには、２個の前記突出領域が対向するように配置し、前記２個の突出領域の間に、前記付属品が保持されるように構成することができる。
【０００９】
この構成によれば、２個の突出領域により、広告効果を高めることができ、さらに、両突出領域の間に付属品が配置されるため、外観が煩雑になるのを防止することができる。
【００１０】
上記各ラベル付き商品において、前記接着層は、付属品用接着部を有しており、前記付属品は、前記付属品用接着部を覆うように配置され、前記ラベルに固定することができる。
【００１１】
この構成によれば、付属品が付属品用接着部によってラベルに固定されているため、付属品を確実に保持することができる。そのため、ラベルを商品から取り外したとき、付属品が商品とラベルとの間から離脱して落下するのを防止することができる。例えば、口腔用製品などの衛生用品に係る付属品である場合には、落下して汚れることは忌避されるため、そのような付属品を採用する場合には、特に有利である。さらに、付属品が付属品用接着部を覆うため、付属品用接着部が商品に直接接触するのを防止することができる。そのため、ラベルを取り外したときに、付属品用接着部によって、商品の表面が剥がれ、商品の外観が悪くなるのを防止することができる。
【００１２】
上記各ラベル付き商品において、前記商品は、対向する一対の外面を少なくとも有しており、前記各外面には異なる向きのデザインを施すことができる。そして、前記ラベルには、２個の前記突出領域が対向するように配置し、当該２個の前記突出領域は、前記一対の外面のいずれかにそれぞれ対応するように突出し、前記各突出領域には、対応する前記外面に適合する向きのデザインを、それぞれ施すことができる。
【００１３】
この構成によれば、対向する一対の面に、異なる向きのデザインが施されている商品に対し、ラベルの２個の突出領域に、それぞれ各面のデザインの向きに適合する向きのデザインを施している。そのため、１枚のラベルで、商品の２つの面の異なる向きのデザインに、適切に対応したＰＯＰ広告を提供することができる。したがって、低コストで、効果的な広告を提供することができる。なお、ここでいう「デザイン」とは、図形、模様などのほか、文字も含まれる概念である。
【００１４】
上記各ラベル付き商品において、前記ラベルには、少なくとも２個の前記突出領域が対向するように配置されており、前記ラベルには、破断可能な切取線を形成することができ、前記ラベルの裏面において、前記切取線が形成されている領域には、前記接着層が形成されておらず、前記切取線に沿って前記ラベルを破断することで、前記両突出領域の切込線を連結するように構成することができる。
【００１５】
この構成によれば、ラベルの裏面に接着層が形成されていない破断可能な切取線を設け、この切取線を破断することで、突出領域の切込線が連結されるため、切取線に囲まれた領域をラベルから簡単に離脱させることができる。したがって、接着層を商品から剥がすことなく、ラベルを商品から離脱させることができるため、ラベルの取り外しを簡単に行うことができる。また、ラベルの取り外し後の商品の外観が悪化するのを防止することができる。
【００１６】
上記各ラベル付き商品において、前記切取線は、前記ラベルの内部を通過し、前記２個の突出領域の切込線を結ぶように形成することができる。これにより、ラベルの端部まで延びる切取線を設ける場合に比べ、切取線が、ラベルの貼り付け時や、意図しないタイミングで破断するのを防止することができる。また、２個の突出領域の間に、付属品を配置している場合には、切込線からラベルと商品との間に指を挿入しやすくなる。そのため、挿入した指を引っ張って、切取線を簡単に破断することができる。
【００１７】
上記各ラベル付き商品において、前記切込線を、前記ラベルの一端部側から他端部側に延びるように形成し、前記切取線を、前記ラベルの一端部側に配置し、前記ラベルの他端部側に、前記ラベルの縁部側に延びる切取開始用のガイド用切込線を設けることができる。
【００１８】
この構成によれば、切取線を破断させた後、切込線に囲まれた領域を引っ張ることで、ガイド用切込線によって、ラベルが破断を開始するため、切込線に囲まれた領域をラベルから容易に、且つ完全に離脱させることができる。
【００１９】
＜発明２＞
特許文献１のラベル付き商品では、ラベルが１つしか設けられていないため、商品においてラベルが取り付けられた面と対応する広告しか提供することができなかった。そのため、商品の他の面と対応する広告を提供するには、ラベルをもう１枚設けることになるが、そのようにすると、材料コストが増大するという問題がある。さらに、商品の複数の面のデザインの向きが相違する場合には、ラベルの向きも考慮しなければならない。そこで、発明２は、この問題を解決するためになされたものであり、商品の複数の面の異なる向きのデザインに対し、それぞれ対応するＰＯＰ広告を、簡易な構成で提供することができるラベル付き商品を提供することを目的とする。
【００２０】
発明２に係るラベル付き商品は、
対向する一対の外面を少なくとも有し、当該各外面に異なる向きのデザインが施された、商品と、
前記商品に関連するデザインが施されたラベルと、
前記ラベルの裏面の少なくとも一部に形成され、当該ラベルを前記商品に固定するための接着層と、
を備え、
前記ラベルは、閉じていない切込線によって囲まれた、対向する２つの突出領域を有しており、
前記各突出領域の裏面には、前記接着層が形成されておらず、
前記切込線上のいずれか２点を通過する線に沿って、前記ラベルにおける前記突出領域の外側が折り曲がるように、前記ラベルを前記商品に固定することで、前記突出領域を前記ラベルから突出させるように構成され、
前記２つの前記突出領域は、前記一対の外面のいずれかにそれぞれ対応するように突出し、前記各突出領域には、対応する前記外面に適合する向きのデザインが施されている。
【００２１】
この構成によれば、ラベルに、閉じていない切込線によって囲まれた２つの突出領域を設け、この突出領域の裏面には、接着層が形成されないようにしている。そのため、切込線上のいずれか２点を通過する線に沿って、ラベルにおける突出領域の外側が折り曲がるように、ラベルを前記商品に固定すると、突出領域をラベルから突出させることができる。これにより、２つの突出領域を突出させることができるため、２種類のＰＯＰ広告を設けることができる。
【００２２】
また、発明２では、対向する一対の面に、異なる向きのデザインが施されている商品に対し、ラベルの２つの突出領域に、それぞれ各面のデザインの向きに適合する向きのデザインを施している。そのため、１枚のラベルで、商品の２つの面の異なる向きのデザインに、適切に対応したＰＯＰ広告を提供することができる。したがって、低コストで、効果的な広告を提供することができる。
【発明の効果】
【００２３】
本発明のラベル付き商品によれば、簡易な構成で、ＰＯＰ広告と付属品の取り付けが可能となる。
【図面の簡単な説明】
【００２４】
【図１】本発明に係る商品の一実施形態を示す、斜視図（ａ）、正面図（ｂ）、及び背面図（ｃ）である。
【図２】本発明に係るラベルの一実施形態を示す、平面図（ａ）、及び接着層を示す平面図（ｂ）である。
【図３】本実施形態に係る付属品の平面図（ａ）、及び正面図（ｂ）である。
【図４】図２のラベルに対する図３の付属品の取付を説明する平面図である。
【図５】図１の商品に対する、図２のラベル及び図３の付属品の取付を説明する斜視図である。
【図６】図１の商品に対する、図２のラベル及び図３の付属品の取付を説明する斜視図である。
【図７】図１の商品に対する、図２のラベル及び図３の付属品の取付を説明する斜視図である。
【図８】本発明の一実施形態に係るラベル付き商品の斜視図である。
【図９】図８とは異なる角度から見た、本発明の一実施形態に係るラベル付き商品の斜視図である。
【図１０】付属品の取り外しを説明する斜視図である。
【図１１】付属品の取り外しを説明する斜視図である。
【図１２】付属品の取り外しを説明する斜視図である。
【図１３】付属品の取り外しを説明する斜視図である。
【図１４】本発明に係るラベルの他の例を示す平面図である。
【図１５】本発明に係るラベルの他の例を示す平面図である。
【図１６】本発明に係るラベルの他の例を示す平面図である。
【図１７】図１６のラベルを商品に取り付けた状態を示す斜視図である。
【図１８】図１７のラベル付き商品からラベルを取り外す工程を示す斜視図である。
【図１９】本発明に係るラベル付き商品の他の例を示す斜視図である。
【発明を実施するための形態】
【００２５】
以下、本発明に係るラベル付き商品の一実施形態について図面を参照しつつ説明する。本実施形態に係るラベル付き商品は、直方体状の商品に対し、シート状のラベルが巻き付けられたものであり、商品とラベルとの間に付属品が取り付けられている。以下では、商品、ラベル、及び付属品について、個別に説明した後、商品へのラベル及び付属品の取付け、及び完成したラベル付き商品について説明する。
【００２６】
＜１．商品＞
図１は、商品の斜視図（ａ）、正面図（ｂ）、及び背面図（ｃ）である。図１に示すように、本実施形態に係る商品１０は、紙や樹脂シートなどによって、形成された箱と、この箱の内部に収容される物品（図示省略）とを備えている。この箱１は、前面１１、背面１２、天面１３、底面１４、第１側面１５、及び第２側面１６を有する直方体状に形成され、長尺状の物品を収納するため、前面１１、背面１２、天面１３、及び底面１４が長く形成されている。以下では、図１に示すｘ方向（長手方向）、ｙ方向（幅方向）、及びｚ方向（高さ方向）を、基準に説明を行うことがある。
【００２７】
図１（ｂ）に示すように、この箱１の前面１１には、長手方向に沿って横書きされた商品説明用の文字が記載されている。一方、図１（ｃ）に示すように、この箱１の背面１２には、長手方向に沿って縦書きされた商品説明用の文字が記載されている。すなわち、この箱１の前面１１と背面１２には、商品説明用の文字が異なる方向で表示されている。
【００２８】
＜２．ラベル＞
次に、ラベルについて、図２を参照しつつ説明する。図２は、ラベルの平面図（ａ）、及び接着層を示す平面図（ｂ）である。このラベル２は、樹脂性の透明また半透明のフィルムなどのシート状材料によって形成されており、裏面の一部に接着剤が塗布されている。そのため、使用前には、ラベル２の裏面は、剥離シート（図示省略）に貼り付けられている。以下、詳細に説明する。
【００２９】
図２（ａ）に示すように、このラベル２は、矩形状に形成されており、商品１０の前面１１、天面１３、及び背面１２を覆うように取り付けられるものである。また、このラベル２には、図２（ａ）の左右方向に延びる一対の切込線、つまり図２（ａ）の下側の第１切込線２１、図２（ａ）の上側の第２切込線２２が、平行に形成されている。これら第１切込線２１及び第２切込線２２は、ともにラベル２を厚さ方向に貫通している。そして、両切込線の間の中央領域２３が、商品１の天面１３に取り付けられる。また、第１切込線２１の下側の第１領域２４が前面１１に取り付けられ、さらに、第２切込線２２の上側の第２領域２５が背面１２に取り付けられる。以下では、図２（ａ）の左右方向を長手方向、図（ａ）の上下方向を幅方向と称し、商品１０の方向と対応させて説明することとする。
【００３０】
第１切込線２１は、幅方向に延びる第１側部２１１及び第２側部２１２と、これら両側部を連結し長手方向に延びる中央部２１３と、を備え、第２切込線２２側に凸のＵ字型に形成されている。各側部２１１，２１２は、第１領域２４の幅方向の中間付近まで延びている。また、この第１切込線２１には、第１側部２１１及び第２側部２１２の基端部からラベル２の長手方向の縁部側に延び、中央部２１３とは反対側に凸のＵ字型に形成された第１及び第２折り返し部２１４，２１５が設けられている。そして、各折り返し部２１４，２１５とラベル２と縁部との間にわずかな隙間が形成されている。さらに、第１切込線２１には、第２側部２１２の中間部から、ラベル２の長手方向の縁部側（図２の右側）へ延びる直線状のガイド用切込線２１６が形成されている。ガイド用切込線２１６の長手方向の長さは、第２折り返し部２１５の長手方向の長さの、概ね半分程度である。
【００３１】
また、ラベル２の表面において、第１切込線に囲まれた矩形状の領域２６（以下、第１突出領域と称する）には、商品の前面と対応するように、横書きの文字が表示されている。この文字は、商品を説明するいわゆるＰＯＰ広告用のものである。
【００３２】
一方、第２切込線２２も、第１切込線２１と同様に、形成されている。すなわち、第２切込線２２は、中央領域２３を介して、第１切込線２１と対称となる形状であり、両側部２２１，２２２、中央部２２３、両折り返し部２２４，２２５、及びガイド用切込線２２６により構成されている。また、ラベル２の表面において、第２切込線２２に囲まれた矩形状の領域２７（以下、第２突出領域と称する）には、商品１０の背面１２と対応するように、ＰＯＰ広告用の縦書きの文字が表示されている。
【００３３】
また、このラベル２には、第１切込線２１の第１側部２１１と、第２切込線２２の第１側部２２１とを連結し、幅方向に延びる切取線２８が形成されている。この切取線２８は、ミシン目状に形成されており、力を作用させることで、破断可能となっている。
【００３４】
図２（ｂ）に示すように、ラベル２の裏面には、接着剤が塗布された接着層が設けられている。図２（ｂ）における接着層の塗布領域は、ハッチングされた４つの領域である。より詳細に説明すると、塗布領域は、第１領域２４において両折り返し部２１４，２１５よりも下側の第１塗布領域２０１、第２領域２５において両折り返し部２２４，２２５よりも上側の第２塗布領域２０２、及び中央領域２３の一部である。中央領域２３には、２箇所において接着層が設けられており、そのうちの一箇所は、切取線２８寄りの矩形状の中央塗布領域（付属品用接着部）２０３であり、後述する付属品３を取り付けるためのものである。もう一箇所は、各切込線２１，２２の第２側部２１２，２２２からラベル２の縁部まで延びる端部塗布領域２０４である。端部塗布領域２０４は、中央領域２３の幅方向の中央付近に配置され、中央領域２３の半分程度の幅である。
【００３５】
＜３．付属品＞
図３は、付属品の平面図（ａ）及び正面図（ｂ）である。同図に示すように、付属品３は、商品に関連するものであり、矩形の偏平状に形成されている。上述したように、付属品３は、ラベル２の裏面において、中央塗布領域２０３に固定されるものである。したがって、付属品３は、ラベル２の中央領域２３に収まるような大きさとなっている。但し、付属品３は、中央塗布領域２０３よりも大きく、これを覆うような大きさとなっている。そのため、中央塗布領域２０３は、商品１には接着しない。
【００３６】
＜４．商品へのラベルと付属品の取付＞
続いて、商品１へのラベル２及び付属品３の取付方法について、図４〜図９を参照しつつ説明する。まず、図４に示すように、ラベル２を剥離シートから剥がし、ラベル２の裏面の中央塗布領域２０３に付属品３を貼り付ける。次に、図５に示すように、ラベル２を、第１切込線２１における両折り返し部２１４，２１５を結ぶ仮想線Ｘ１に沿って、表面側に対して山折りする。これにより、ラベル２の第１領域２４は、第１折り返し部２１４を含む、第１側部２１１の基端部とラベル２の縁部との間、及び第２折り返し部２１５を含む、第２側部２１２の基端部とラベル２の縁部との間に折り目２０５（以下、第１折り目という）が形成されるとともに、両側部２１１，２１２の間の領域には折り目は形成されず、第１塗布領域２０１と同一平面となるように立ち上がる。この状態で、図６に示すように、第１折り目２０５を、商品１の前面１１と天面１３との境界に位置決めし、第１塗布領域２０１を商品１の前面１１に貼り付ける。このとき、ラベル２の切取線２８側が、商品１の第１側面１５を向くようにする。こうして、ラベル２の第１塗布領域２０１を商品１の前面１１に貼り付けると、第１突出領域２６は、商品１の前面１１と平行に、且つ天面１３を越えて、突出する。また、ラベル２の中央領域２３を、商品１の天面１３に配置することで、端部塗布領域２０４が、商品１の天面１３に貼り付けられる。これにより、ラベル２の中央領域２３と商品１の天面１３との間に付属品３が配置される。なお、上記工程において、ラベル２の第１塗布領域２０１を、商品１の前面１１に貼り付けた後、第１折り目２０５を形成してもよい。
【００３７】
次に、図７に示すように、ラベル２を、第２切込線２２における両折り返し部２２４，２２５を結ぶ仮想線Ｘ２に沿って、表面側に対して山折りする。これにより、ラベル２の第２領域２５は、第１折り返し部２２４を含む、第１側部２２１の基端部とラベル２の縁部との間、及び第２折り返し部２２５を含む、第２側部２２２の基端部とラベル２の縁部との間に折り目（以下、第２折り目２０６という）が形成されるとともに、両側部２２１，２２２の間の領域には折り目は形成されず、第２塗布領域２０２と同一平面となるように立ち上がる。この状態で、第２折り目２０６は、商品１の背面１２と天面１３との境界に一致し、これに続いて、第２塗布領域２０２を商品１の背面１２に貼り付ける。これにより、図８に示すように、ラベル２の第２突出領域２７は、商品１の背面１２と平行に、且つ天面１３を越えて、突出する。こうして、商品１へのラベル２と付属品３の取付が完了する。
【００３８】
このとき、図８に示すように、商品１０の前面１１のデザインと、ラベル２の第１突出領域２６のデザインとは同じ向きになり、図９に示すように、商品１０の背面１２のデザインと、ラベル２の第２突出領域２７のデザインとは同じ向きになる。なお、各切込線２１，２２の両端部には、折り返し部２１４，２１５，２２４，２２５がそれぞれ設けられているため、例えば、各突出領域２６，２７を底面１４側に引っ張ったとき、各側部２１１，２１２，２２１，２２２の基端部を起点として、ラベル２が破れるのを防止することができる。
【００３９】
＜５．付属品の取り外し＞
以上のように取り付けられた付属品３は、ラベル２の中央領域２３と、商品１の天面１３との間に配置される。この状態から付属品３を取り外すには、次のように作業を行う。まず、図１０に示すように、ラベル２の切取線２８付近で、いずれか一方の切込線２１，２２から、ラベル２と商品１との間に指Ｆを挿入する。このとき、ラベル２と商品１との間には、付属品３が挟まれているため、ラベル２と商品１との間には隙間が形成されている。そのため、指を挿入しやすくなっている。そして、図１１に示すように、ラベル２を商品１から引き離す方向に引っ張ると、切取線２８が破断する。中央領域２３は、両切込線２１，２２に挟まれた領域であるため、両切込線２１，２２を結ぶ切取線２８が破断すると、中央領域２３は、大半がラベル２から離脱可能な状態となる。このとき、図１２に示すように、中央領域２３は、第２側部２１２，２２２とラベル２の縁部との間の領域でのみラベル２と繋がっているため、中央領域２３を、さらに第２側部２１２，２２２側に引っ張ると、両ガイド用切込線２１６，２２６が起点となって、第２側部２１２，２２２とラベル２の縁部との間の領域が破断し、図１３に示すように、中央領域２３は、ラベル２から完全に離脱する。したがって、大きさの小さい端部塗布領域２０４以外で、接着層を商品１から剥がすことなく、中央領域２３をラベル２及び商品１から離脱させることができ、商品１の外観性状をきれいに保つことができる。また、中央領域２３においては、接着層の塗布面積が小さいことから、ラベル２の取付も容易である。なお、離脱した中央領域２３には、中央塗布領域２０３を介して付属品３が取り付けられているため、離脱した中央領域２３から付属品３が落下し、汚れるのを防止することができる。
【００４０】
＜６．特徴＞
以上のように、本実施形態によれば、以下の効果を得ることができる。
（１）ラベル２の裏面に接着層を設け、ラベル２を商品に貼り付けるように構成している。そのため、付属品３をラベル２と商品１との間に配置することができる。また、ラベル２に、閉じていない切込線２１，２２によって囲まれた２つの突出領域２６，２７を設け、各突出領域２６，２７の裏面には、接着層が形成されないようにしている。そのため、切込線２１，２２の両端部を通過する両折り目に沿って、ラベル２における突出領域２６，２７の外側が折り曲がるように、ラベル２を商品１に固定すると、突出領域２６，２７をラベル２から突出させることができる。そのため、各突出領域２６，２７に、それぞれＰＯＰ広告を施すことができる。したがって、１枚のラベル２によって、付属品３の取付、及びＰＯＰ広告の提供が可能となり、材料コストを大きく低減することができる。
【００４１】
（２）２つの突出領域２６，２７の間に、付属品３が保持されているため、外観が煩雑にならず、きれいに保つことができる。
【００４２】
（３）本実施形態に係る商品１は、前面１１と背面１２とで、デザインの向きが９０度異なっているが、ラベル２の２個の突出領域２６，２７には、それぞれ各面１１，１２のデザインの向きに適合する向きの文字（デザイン）が施されている。そのため、１枚のラベル２で、商品１の２つの面の異なる向きのデザインに、適切に対応したＰＯＰ広告を提供することができる。
【００４３】
（４）ラベル２の切取線２８は、２個の突出領域２６，２７の切込線２１，２２を結ぶように形成されている。そのため、切取線２８を破断すると、切込線２１，２２に囲まれた中央領域２３をラベル２から簡単に離脱させることができる。また、切取線２８が、ラベル２の内部に設けられ、ラベル２の端縁に達していないため、ラベル２の貼り付け時や、意図しないタイミングで、切取線２８が、破断するのを防止することができる。
【００４４】
＜７．変形例＞
以上、本発明の一実施形態について説明したが、本発明はこれに限定されるものではなく、その趣旨を逸脱しない限りにおいて種々の変更が可能である。なお、以下の変形例は、適宜組合わせ可能である。
【００４５】
＜７−１＞
上記実施形態では、ラベル２を矩形状に形成しているが、商品１に貼り付けることができるのであれば、それ以外の円形状、多角形状などでもよい。また、上記実施形態のラベル２には、２個の突出領域２６，２７を設けているが、突出領域２６，２７の数や位置は特には限定されず、１個、または３個以上設けることもできる。また、各突出領域２６，２７の形状は、Ｕ字型の切込線２１，２２により矩形状になっているが、これ以外の形状でもよい。すなわち、切込線を閉じないように形成し、例えば、円形、楕円、多角形状にすることもできる。
【００４６】
＜７−２＞
ラベル２は、透明、半透明、不透明のいずれでもよいが、半透明または透明にすると、商品１に貼り付けたときに、商品１の表面に記載の表示を、ラベル２を通して視認することができる。また、ラベル２が透明であると、突出領域２６，２７に記載された表示を、突出領域２６，２７の表面側だけでなく、裏面からも視認できる。例えば、第１突出領域２６に記載された表示を、商品１の背面１２側からも視認できるため、広告効果をより高めることができる。
【００４７】
＜７−３＞
また、ラベル２において、接着層が設けられている箇所は、付属品を取り付けることができ、また、突出領域２６，２７を突出できるのであれば、上記実施形態以外の箇所でもよく、特には限定されない。
【００４８】
＜７−４＞
上記実施形態では、ラベルの内部において、両切込線２１，２２を結ぶように、切取線２８を設けているが、両切込線２１，２２を連結できるようになっていれば、その態様は特には限定されない。例えば、図１４に示すように、各切込線２１，２２の中央部２１３，２２３からラベル２の縁部まで延びるような切取線２９１、２９２を設けることもできる。これにより、両切取線２９１、２９２が破断すると、ラベル２の縁部を介して、両切込線２１，２２が連結する。これにより、ラベル２の中央領域２３を、ラベル２から簡単に離脱させることができる。
【００４９】
あるいは、切取線２８を次のように構成することできる。すなわち、図１５に示すように、第１切込線２１における第１折り返し部２１４の端部と、第２切込線２２における中央部２２３の端部付近（第１側面１５側）とを円弧状の切取線２８で結ぶことができる。こうすることで、第１折り返し部２１４を把持して引っ張ることで、切取線２８を破断させることができ、これによって両切込線２１，２２を連結することができる。なお、第２切込線２２における第２折り返し部２２４の端部と、第１切込線２１における中央部２１３の端部付近（第１側面１５側）とを結ぶ切取線２８であってもよい。
【００５０】
また、次のようにラベル２を形成することで、中央領域２３を離脱させることもできる。図１６に示すように、ラベル２において、第１切込線２１及び第２切込線２２の各第２側部２１１，２２１を、ラベル２の幅方向の端部側に延長する。そして、両折り返し部２１４，２２４の端部同士を幅方向に延びる第２切取線２９で連結する。なお、両側部２１１，２２１を連結する切取線は、第１切取線２８と称する。これにより、両切込線２１，２２の第１側部２１１，２２１を連結するように、切取片２９０が形成される。この切取片２９０は、２つの切取線２８，２９、両折り返し部２１４，２２４、及び両側部２１１，２２１によって囲まれている。
【００５１】
そして、図１７に示すように、このラベル２を，上記実施形態と同様に、付属品３とともに商品１に取付ける。この状態で、商品１の前面１１に配置された切取片２９０の端部、つまり、第１折り返し部２１４はラベル２を貫通しているため、この第１折り返し部２１４を把持できるようになっている。
【００５２】
続いて、図１８に示すように、第１折り返し部２１４を把持し、これを引き上げると、両切取線２８，２９が破断するため、切取片２９０は、ラベル２から取り外され、その結果、両切込線２１，２２が連結される。これにより、中央領域２３をラベル２から離脱させることができる。したがって、この態様によれば、第１折り返し部２１４を把持して引っ張ることで、切取片２９０を簡単にラベル２から取り外せるため、両切込線２１，２２をより簡単に連結することができる。なお、第２折り返し部２２４を把持して切取片２９０を引っ張ったり、あるいは各折り返し部２１４，２２４を把持しやすいように、各折り返し部２１４，２２４の近傍の切取線２８，２９を、ミシン目にするのではなく、切込線のようにラベル２を貫通するようにしてもよい。
【００５３】
＜７−５＞
商品１の形状は、直方体以外でもよく、円柱状、多角柱状など、種々の形状にすることができる。例えば、商品１を円柱状としたときは、ラベル２を商品１に沿って湾曲させることで、突出領域２６，２７を突出させることができる。また、商品１は、上記のように箱に物品を収容した形態のみならず、箱に収容されていない物品自体を商品とすることもできる。
【００５４】
＜７−６＞
上記実施形態では、前面１１と背面１２にラベル２の接着層を接着しているが、それ以外の箇所を接着してもよい。また、商品１の前面１１と背面１２と同一平面の突出領域２６，２７を形成しているが、それ以外箇所に突出領域を形成することもできる。例えば、前面１１と天面１３などの隣接する面それぞれと対応するように突出領域を形成することもできる。
【００５５】
＜７−７＞
上記実施形態では、ラベル２の中央領域２３と商品１との間に付属品３を配置しているが、これに限定されず、その他の位置に配置することもできる。例えば、図１９に示すように、商品１の前面１１とラベル２の端部との間に、付属品３を取り付けてもよい。
【００５６】
＜７−８＞
また、付属品３の形態は、上記実施形態で示した形状でなくてもよく、少なくとも一部がラベル２と商品１との間に配置されるような形態であればよい。
【００５７】
＜７−９＞
また、上記実施形態では、ラベル２を破断するための切取線は、ミシン目状に形成しているが、その他、ラベルを薄肉状にすることで破断しやすくするなど、簡易にラベルを破断できるものであれば、特には限定されない。
【符号の説明】
【００５８】
２        ：ラベル
３        ：付属品
１０      ：商品
２１      ：第１切込線
２２      ：第２切込線
２６      ：第１突出領域
２７      ：第２突出領域
２８      ：切取線
２０３    ：中央塗布領域（付属品用接着部）
２１６    ：ガイド用切込線
２２６    ：ガイド用切込線
【図１】
0006691741.tif 000002
【図２】
0006691741.tif 000003
【図３】
0006691741.tif 000004
【図４】
0006691741.tif 000005
【図５】
0006691741.tif 000006
【図６】
0006691741.tif 000007
【図７】
0006691741.tif 000008
【図８】
0006691741.tif 000009
【図９】
0006691741.tif 000010
【図１０】
0006691741.tif 000011
【図１１】
0006691741.tif 000012
【図１２】
0006691741.tif 000013
【図１３】
0006691741.tif 000014
【図１４】
0006691741.tif 000015
【図１５】
0006691741.tif 000016
【図１６】
0006691741.tif 000017
【図１７】
0006691741.tif 000018
【図１８】
0006691741.tif 000019
【図１９】
0006691741.tif 000020